(57)【要約】【課題】煩雑な操作を行うことなく、サイドキーの誤動作を未然に防止することができる携帯電話装置及びキー押下判定方法並びにキー押下判定プログラムの提供。【解決手段】筐体の側面にキー（サイドキー３ａ）を備える携帯電話装置において、前記キーの内部に設けられ、前記キーが所定の物体に押下された場合に、超音波を発振し、前記所定の物体で反射された超音波の反射波を検出する超音波発振／検出部３ｂと、超音波の反射波に基づいて前記所定の物体を特定し、前記所定の物体が生体である場合に前記キーの押下を正当なキー操作と判断するキー押下判定部５ａと、を少なくとも備える。【選択図】図２
2009232356.tif 000002
【特許請求の範囲】
【請求項１】
筐体の側面にキーを備える携帯電話装置において、
前記キーの内部に設けられ、前記キーが所定の物体に押下された場合に、超音波を発振し、前記所定の物体で反射された超音波の反射波を検出する超音波発振／検出部と、
超音波の反射波に基づいて前記所定の物体を特定し、前記所定の物体が生体である場合に前記キーの押下を正当なキー操作と判断するキー押下判定部と、を少なくとも備えることを特徴とする携帯電話装置。
【請求項２】
前記キー押下判定部は、超音波の反射波に基づいて前記所定の物体の音響インピーダンスを算出し、算出した前記所定の物体の音響インピーダンスと記憶部に予め記憶された生体の音響インピーダンスとを比較することにより、前記所定の物体が生体であるか否かを判断することを特徴とする請求項１に記載の携帯電話装置。
【請求項３】
筐体の側面にキーを備え、前記キーの内部に超音波の発振／検出を行う超音波発振／検出部を備える携帯電話装置におけるキー押下判定方法であって、
前記キーが所定の物体に押下された場合に、超音波を発振する第１ステップと、
前記所定の物体で反射された超音波の反射波を検出する第２ステップと、
超音波の反射波に基づいて前記所定の物体を特定する第３ステップと、
前記所定の物体が生体である場合に前記キーの押下を正当なキー操作と判断し、前記所定の物体が生体でない場合に前記キーの押下を不当なキー操作と判断する第４ステップと、を少なくとも有することを特徴とするキー押下判定方法。
【請求項４】
前記第３ステップでは、超音波の反射波に基づいて前記所定の物体の音響インピーダンスを算出し、算出した前記所定の物体の音響インピーダンスと予め記憶した生体の音響インピーダンスとを比較することにより、前記所定の物体が生体であるか否かを判断することを特徴とする請求項３に記載のキー押下判定方法。
【請求項５】
筐体の側面にキーを備え、前記キーの内部に超音波の発振／検出を行う超音波発振／検出部を備える携帯電話装置で動作するキー押下判定プログラムであって、
コンピュータを、
前記キーが所定の物体に押下された際に前記超音波発振／検出部から発振され、前記所定の物体で反射された超音波の反射波に基づいて前記所定の物体を特定し、前記所定の物体が生体である場合に前記キーの押下を正当なキー操作と判断するキー押下判定部、として機能させることを特徴とするキー押下判定プログラム。
【請求項６】
前記キー押下判定部は、超音波の反射波に基づいて前記所定の物体の音響インピーダンスを算出し、算出した前記所定の物体の音響インピーダンスと記憶部に予め記憶された生体の音響インピーダンスとを比較することにより、前記所定の物体が生体であるか否かを判断することを特徴とする請求項５に記載のキー押下判定プログラム。
【発明の詳細な説明】
【技術分野】
【０００１】
本発明は、携帯電話装置及びキー押下判定方法並びにキー押下判定プログラムに関し、特に、超音波を利用してキー押下を判定する携帯電話装置及びキー押下判定方法並びにキー押下判定プログラムに関する。
【背景技術】
【０００２】
近年、音声通話機能に加えて、デジタルカメラ機能やミュージックプレーヤ機能、ＲＦＩＤ（Radio Frequency Identification）機能など、様々な機能を備えた携帯電話装置が普及している（例えば、下記特許文献１参照）。
【０００３】
このような多様な機能を備えた携帯電話装置では、各種機能を動作させるためは多数のキーを配置しなければならないが、携帯電話装置は小型化が求められていることから、携帯電話装置の側面にもキー（以下、サイドキーと呼ぶ。）が配置されている。
【０００４】
【特許文献１】特開２００５−８４７６７号公報
【発明の開示】
【発明が解決しようとする課題】
【０００５】
ここで、携帯電話装置は様々な状態で携帯され、例えば、ポケット等に入れて持ち運びがされる場合も多い。そのため、携帯電話装置の側面に配置されたサイドキーは、ポケットに入れられた他の物品と接触してしまう場合もあり、他の物品との接触によってサイドキーが押下されると、意図しない機能（例えば、ミュージックプレーヤ機能）が勝手に動作してしまうという問題があった。
【０００６】
このような問題に対して、従来の折り畳み型携帯電話装置の中には、サイドキーを無効にする機能を搭載したものもあり、その機能をＯＮにすることによって誤動作を防止することはできる。しかしながら、ポケットに入れる度にサイドキーを無効にする設定を行う必要があり、また、ポケットから取り出す度にサイドキーを有効にする設定を行う必要があり、手間がかかるという問題があった。
【０００７】
本発明は、上記問題点に鑑みてなされたものであって、その主たる目的は、煩雑な操作を行うことなく、サイドキーの誤動作を未然に防止することができる携帯電話装置及びキー押下判定方法並びにキー押下判定プログラムを提供することにある。
【課題を解決するための手段】
【０００８】
上記目的を達成するため、本発明は、筐体の側面にキーを備える携帯電話装置において、前記キーの内部に設けられ、前記キーが所定の物体に押下された場合に、超音波を発振し、前記所定の物体で反射された超音波の反射波を検出する超音波発振／検出部と、超音波の反射波に基づいて前記所定の物体を特定し、前記所定の物体が生体である場合に前記キーの押下を正当なキー操作と判断するキー押下判定部と、を少なくとも備えるものである。
【０００９】
本発明においては、前記キー押下判定部は、超音波の反射波に基づいて前記所定の物体の音響インピーダンスを算出し、算出した前記所定の物体の音響インピーダンスと記憶部に予め記憶された生体の音響インピーダンスとを比較することにより、前記所定の物体が生体であるか否かを判断する構成とすることができる。
【００１０】
また、本発明は、筐体の側面にキーを備え、前記キーの内部に超音波の発振／検出を行う超音波発振／検出部を備える携帯電話装置におけるキー押下判定方法であって、前記キーが所定の物体に押下された場合に、超音波を発振する第１ステップと、前記所定の物体で反射された超音波の反射波を検出する第２ステップと、超音波の反射波に基づいて前記所定の物体を特定する第３ステップと、前記所定の物体が生体である場合に前記キーの押下を正当なキー操作と判断し、前記所定の物体が生体でない場合に前記キーの押下を不当なキー操作と判断する第４ステップと、を少なくとも有するものである。
【００１１】
また、本発明は、筐体の側面にキーを備え、前記キーの内部に超音波の発振／検出を行う超音波発振／検出部を備える携帯電話装置で動作するキー押下判定プログラムであって、コンピュータを、前記キーが所定の物体に押下された際に前記超音波発振／検出部から発振され、前記所定の物体で反射された超音波の反射波に基づいて前記所定の物体を特定し、前記所定の物体が生体である場合に前記キーの押下を正当なキー操作と判断するキー押下判定部、として機能させるものである。
【発明の効果】
【００１２】
本発明の携帯電話装置及びキー押下判定方法並びにキー押下判定プログラムによれば、ユーザが予期しないサイドキー押下を、誤動作防止設定等を行うことなく防止することができる。
【００１３】
その理由は、折り畳み型携帯電話装置のサイドキーの内部に超音波発振／検出部を設け、折りたたんだ状態で携帯電話装置をポケット等に入れている際、誤ってサイドキーが物理的に押下された場合でも、キー押下判定部は、超音波の反射波が生体からの反射波として認められない場合は、キー入力がされたと判定しないからである。
【発明を実施するための最良の形態】
【００１４】
背景技術で示したように、携帯電話装置の側面には、通常、サイドキーと呼ばれるキーが配置されているが、このサイドキーが誤って押下された場合に、意図しない機能が勝手に動作してしまうという問題があった。
【００１５】
この問題に対して、キー操作部を操作してサイドキーを無効にする設定を行う方法もあるが、この方法ではサイドキーを有効／無効にする設定を何度も行う必要があり、操作が煩雑である。また、例えば、特許文献１のように、第１筐体及び第２筐体の表面に物体を感知するセンサを設け、そのセンサを利用して誤動作を防止する方法も考えられるが、物体を感知するだけでは、その物体が人体であるのか他の物体であるのかを判断することはできず、サイドキーの誤動作を有効に防止することはできない。
【００１６】
そこで、本発明では、サイドキーに超音波振動子などからなる超音波発振／検出部を設け、サイドキー押下時に自動的に超音波を発振、及び反射波を検出するようにし、キー押下判定部では、その発振波及び反射波に基づいて物体の音響インピーダンスを算出し、その音響インピーダンスと予め記憶した音響インピーダンスとを比較することによって、ユーザの期待するキー操作となっているかを判断する。
【００１７】
このように、サイドキーの物理的な押下に加え、超音波の音響インピーダンスが適切な値かどうかをキー押下判定基準とすることで、ユーザの意図しないサイドキーの誤押下を効果的に防止することが可能となる。
【実施例】
【００１８】
上記した本発明の実施の形態についてさらに詳細に説明すべく、本発明の一実施例に係る携帯電話装置及びキー押下判定方法並びにキー押下判定プログラムについて、図１乃至図４を参照して説明する。図１は、本実施例の携帯電話装置の外観構成を模式的に示す斜視図であり、図２は、携帯電話装置の構成を示すブロック図である。また、図３は、本実施例の携帯電話装置のキー押下判定を説明するための図であり、図４は、本実施例の携帯電話装置の動作を示すフローチャート図である。
【００１９】
図１及び図２に示すように、本実施例の携帯電話装置は、無線制御部１と、表示部２と、キー操作部３と、記憶部４と、制御部５などで構成され、表示部２を含む上部筐体と、キー操作部３を含む下部筐体とが、ヒンジ機能により折り畳み自在に連結されて構成されている。
【００２０】
無線制御部１は、アンテナと無線部とベースバンド部などからなり、受信時には、アンテナと無線部により移動体通信網（ＮＷ）からの送信される波（ＣＢＳ）を検出し、ベースバンド部で復調処理を行う。送信時には、キー操作部３や図示しないマイクなどから入力された信号をベースバンド部で変調処理し、アンテナと無線部により移動体通信網（ＮＷ）に送信する。
【００２１】
表示部２は、ＬＣＤ（Liquid Crystal Display）や有機ＥＬ（electroluminescence）ディスプレイなどで構成され、各種機能の動作画面などを表示する。
【００２２】
キー操作部３は、一方の筐体の表面に配置された数字キーや十字キー、特殊キーなどと、一方又は双方の筐体の側面に配置されたサイドキー３ａとを備える。このサイドキー３ａの内部（キートップの下部）には、圧電素子などからなる超音波振動子を備えた超音波発振／検出部３ｂが超音波を伝達可能に配置されており、サイドキー３ａの押下をトリガとして超音波発振／検出部３ｂの超音波振動子に交流電圧が印加され、超音波振動が発振されるように構成されている。また、サイドキー３ａを押下している物体で反射された超音波振動を超音波発振／検出部３ｂの超音波振動子で検出できるように構成されている。
【００２３】
なお、図１では、サイドキー３ａの内部に超音波発振／検出部３ｂを設ける構成を示しているが、サイドキー３ａの具体的構成は特に限定されず、例えば、サイドキー３ａの近傍、かつ、超音波が伝導可能な位置に超音波発振／検出部３ｂを配置し、サイドキー３ａの押下を電気的又は機械的に検出し、その検出信号を超音波発振／検出部３ｂに伝達して超音波発振／検出部３ｂを機能させる構成としてもよい。また、超音波を発振する素子と超音波を検出する素子とは同じ素子としてもよいし、異なる素子としてもよい。
【００２４】
記憶部４は、例えば、不揮発性メモリなどで構成され、携帯電話装置の各種設定情報を記憶すると共に、キー押下判定の基準となる超音波振動の音響インピーダンス（物質の密度ρ×音速ｖ）の値などを記憶する。なお、本実施例では、音響インピーダンスに基づいてサイドキー３ａを押下している物体を判別することから、キー押下判定の基準となる超音波振動の音響インピーダンスとして、生体の音響インピーダンスを記憶することが好ましい。
【００２５】
また、制御部５は、ＣＰＵ（Central Processing Unit）と、ＲＯＭ（Read Only Memory）やＲＡＭ（Random Access Memory）などのメモリとで構成され、携帯電話装置全体の動作を制御する。
【００２６】
また、制御部５は、図３に示すように、超音波振動子が超音波を発振した場合に、超音波発振／検出部３ｂからの送信データ（例えば、超音波振動子の発振波の周波数）と、サイドキー３ａを押下している物体で反射された超音波に基づく受信データ（必要に応じてＡ／Ｄ変換された受信データ、例えば、超音波振動子の反射波の周波数）とを受信し、受信データ（又は送信データ及び受信データ）に基づいて音響インピーダンスを算出し、算出した音響インピーダンスと記憶部４に予め記憶された音響インピーダンスとを比較することによって、サイドキー３ａを押下している物体を特定し、サイドキー３ａが生体（例えば、手）で押下されている場合にサイドキー３ａの押下を有効なキー操作とするキー押下判定部５ａとしても機能する。
【００２７】
このキー押下判定部５ａは、制御部５にハードウェアとして構成してもよいし、コンピュータを、キー押下判定部５ａとして機能させるキー押下判定プログラムとして構成し、このキー押下判定プログラムを制御部５上で動作させる構成としてもよい。
【００２８】
なお、図１及び図２は、本実施例の携帯電話装置の一例であり、携帯電話装置の側面にサイドキー３ａを備え、サイドキー３ａの押下に連動して超音波発振／検出部３ｂが機能し、超音波発振／検出部３ｂからの信号に基づいてキー押下判定部５ａがキー押下の有効／無効を判定可能であればよく、上記以外の要素の構成や形状等は特に限定されない。また、サイドキー３ａの配置や形状、超音波発振／検出部３ｂの構成、超音波振動子の動作方法なども特に限定されない。
【００２９】
次に、本実施例の携帯電話装置の動作について、図４のフローチャート図を参照して説明する。
【００３０】
まず、ステップＳ１０１で、何物かによって携帯電話装置のサイドキー３ａが押下されると、ステップＳ１０２で、サイドキー３ａの押下をトリガとして、超音波発振／検出部３ｂの超音波振動子は超音波を発振し、ステップＳ１０３で、超音波発振／検出部３ｂの超音波振動子は、サイドキー３ａを押下している物体からの反射波を検出する。
【００３１】
次に、ステップＳ１０４で、制御部５（キー押下判定部５ａ）は、超音波発振／検出部３ｂから反射波に基づく受信データ（又は、発振波に基づく送信データ及び反射波に基づく受信データ）を取得し、これらに基づいてサイドキー３ａを押下している物体の音響インピーダンスを算出する。
【００３２】
次に、ステップＳ１０５で、制御部５（キー押下判定部５ａ）は、算出した音響インピーダンスと記憶部４に予め記憶した音響インピーダンスの基準値とを比較し、サイドキー３ａを押下している物体が生体であるかを判定する。
【００３３】
そして、制御部５（キー押下判定部５ａ）は、判定の結果、生体からの反射波である場合は、ステップＳ１０６で、そのキー押下を認め、生体からの反射波ではない場合は、ステップＳ１０７で、そのキー押下を認めず、誤押下として処理をキャンセルする。
【００３４】
なお、上記フローでは、発振波と反射波とに基づいてサイドキー３ａを押下している物体を特定する構成としたが、例えば、超音波を発振してから受信するまでの時間に基づいてサイドキー３ａを押下している物体を特定してもよい。
【００３５】
このように、サイドキー３ａに超音波振動子３ｂを設け、制御部５（キー押下判定部５ａ）で、所定の物体で反射した反射波（又は発振波及び反射波）に基づいて音響インピーダンスを算出し、算出した音響インピーダンスと記憶部４に記憶した音響インピーダンスとを比較してサイドキー３ａを押下している物体を特定し、サイドキー３ａが生体（例えば、手）で押下されているか否かに基づいてサイドキー３ａの押下の有効／無効を判断する制御を行うため、煩雑な操作を行うことなく、サイドキー３ａの誤動作を未然に防止することができる。
【００３６】
なお、上記実施例では、本説明の構造を折り畳み型携帯電話装置に適用する場合を示したが、本発明は上記実施例に限定されるものではなく、１つの筐体で構成される携帯電話装置や一方の筐体と他方の筐体とが開閉かつ回転可能に連結された携帯電話装置、スライド可能に連結された携帯電話装置など、様々な構造の携帯電話装置に対して同様に適用することができる。
【００３７】
また、上記実施例では、サイドキーの誤動作を防止する場合を示したが、意図せずに押下してしまう可能性のある任意のキーに対して同様に適用することができる。
【００３８】
また、上記実施例では、生体の音響インピーダンスを判定基準とする場合を示したが、任意の状態における音響インピーダンスをユーザが任意に設定することもできる。
【００３９】
更に、上記実施例では、本発明の構造を携帯電話装置に適用する場合を示したが、意図せずに押下してしまう可能性のあるキーを備える任意の携帯機器、例えば、ＰＤＡ（Personal Digital Assistants）やノート型コンピュータ機器などに対しても同様に適用することができる。
【産業上の利用可能性】
【００４０】
本発明は、意図せずに押下してしまう可能性のあるキーを備える任意の携帯機器、特に、携帯電話装置に利用可能である。
【図面の簡単な説明】
【００４１】
【図１】本発明の一実施例に係る携帯電話装置の外観構成を模式的に示す図である。
【図２】本発明の一実施例に係る携帯電話装置の構成を示すブロック図である。
【図３】本発明の一実施例に係る携帯電話装置のキー押下判定を説明するための図である。
【図４】本発明の一実施例に係る携帯電話装置の動作を示すフローチャート図である。
【符号の説明】
【００４２】
１  無線制御部
２  表示部
３  キー操作部
３ａ  サイドキー
３ｂ  超音波発振／検出部
４  記憶部
５  制御部
５ａ  キー押下判定部
【図１】
2009232356.tif 000003
【図２】
2009232356.tif 000004
【図３】
2009232356.tif 000005
【図４】
2009232356.tif 000006